(57)【特許請求の範囲】
【請求項１】
箱形として前面側のみを開口部とした外箱体の内側に、該外箱体の左右方向の内法寸法よりも狭い左右幅寸法と、上記外箱体の上下方向の内法寸法と同一の高さ寸法と、上記外箱体の前後方向の内法寸法に対応する奥行き寸法を有する箱形とし且つ前面側を開口部とした内箱体を挿入配置してなる積み重ね可能な棚ユニットを備えてなる構成を有することを特徴とする本棚。
【請求項２】
棚ユニットにおける外箱体の開口部の間口寸法を、同じ棚ユニットに備える内箱体の奥行き寸法の整数倍の寸法、又は、該内箱体の奥行き寸法の整数倍と該内箱体の左右幅寸法の整数倍との和の寸法となるようにした請求項１記載の本棚。
【発明の詳細な説明】
【技術分野】
【０００１】
本発明は、本棚に関するもので、特に、棚一段分のユニットを重ねて複数段の棚を形成する形式の本棚に関するものである。
【背景技術】
【０００２】
一般に、本棚は、天板と底板と左右の側板と背面板と棚板とからなり、棚板の取り付けは、側板に上下方向に所要間隔で設けてある複数の穴のうちの任意の高さ位置の穴に挿し込んだだぼの上に該棚板の左右幅方向の両端部を載置して支持させるようにしてあり、上記だぼを挿し込む穴の位置を上下方向に変えることにより、上記棚板の高さ位置を調整できるようにしてあるものが多い。
【０００３】
本棚は、主として天板、底板、側板の板厚を厚くすることで、強度が確保されている。
【０００４】
又、上記棚板は、左右幅方向の両端部のみで支持されるものであるため、その左右幅寸法、すなわち、支持点間のスパンが長いと、書籍等の重量で撓み易くなる。そのために、スパンの長い棚板は、枠組みをしてその表面側と裏面側に合板等を貼った太鼓張り構造とすることが広く採用されている。
【０００５】
なお、前面側に前面開口部を開閉する開閉可能なフラップを備えた段ボール製の外箱の内側に、その前面開口部を通して前面が開口した段ボール製の中箱を圧入し、更に、前面が開口としてある２個一組の段ボール製の内箱を、該２個の内箱同士を当接させた状態で上記中箱の内側に圧入した形式の物品収納箱が従来提案されている。（たとえば、特許文献１参照）。
【先行技術文献】
【特許文献】
【０００６】
【特許文献１】特開２０００−２５７４３号公報
【発明の概要】
【発明が解決しようとする課題】
【０００７】
ところが、従来の本棚は、強度を確保するために天板、底板、側板の板厚が厚くしてあることから、本棚自体の外形が大きく、且つ重い。そのため、本棚を部屋の所望する個所に設置する場合や、部屋の模様替えを行うために移動させる場合の取り扱い性（ハンドリング）が悪い。
【０００８】
天板、底板、側板、棚板等を設置する現場（部屋）で組み立てる組立式の本棚の場合は、組立前の部品の状態では、搬送性を高めて取り扱い性（ハンドリング）を良好なものとすることは可能であるが、組立後の本棚、すなわち、各部品を組み立てて最終的に本棚として一体化してしまうと、外形が大きく、重量が大きくなってしまうため、この組立後の本棚については、上記したのと同様な取り扱い性が悪いという問題が生じる。
【０００９】
又、引越し等で本棚を輸送する際には、書籍等の収納物が輸送中に棚から落下する虞が生じないようにするために、本棚の輸送を開始する前に、予め本棚の収納物を段ボール箱等に移し替えて別に梱包する必要がある。そのため、本棚の輸送先では、上記梱包してある書籍等を開梱して本棚に戻す作業も必要になる。したがって、本棚の輸送に伴う手間が嵩むというのが実状である。
【００１０】
更に、本棚の棚板を太鼓張り構造とすると、棚板の厚み寸法が大きくなると共に、該太鼓張り構造は中空構造であることから、デッドスペースが大きくなってしまう。そのために、本棚の外形に対して収納効率が低いという問題がある。
【００１１】
更に又、従来の本棚では、書籍等を棚に立てて収納する場合に、収納すべき書籍等が少ない場合は、該書籍等を立てた状態で保持するために、別途用意したブックエンドを用いることが必要とされている。
【００１２】
なお、特許文献１に示された物品収納箱は、外箱の内部における幅方向の中央部に、２つの内箱の側壁が縦方向に配置された構成となっているが、上記外箱の内側には中箱を圧入する必要があり、又、該中箱の内側には２つの内箱を圧入する必要があるため、上記物品収納箱の設置現場で上記外箱と中箱と２つの内箱を組み立てるという考えは示されていない。
【００１３】
しかも、上記中箱と２つの内箱は、いずれも背面側が開放されたものであることから、該中箱や内箱を、収納物を収納した状態のまま外箱から取出可能とする考えも何ら示されていない。
【００１４】
又、前記した如き天板、底板、側板、棚板等からなる本棚の如く、棚板を水平方向に配置して左右方向の両端部のみを支持した両持ち梁を考えた場合、両持ち梁上に載置される物の重量によって該両持ち梁に生じる撓み量は、以下の式で表されるように、両持ち梁の板厚の３乗に反比例し、支持点のスパンの４乗に比例する。
δ＝ｗｌ４／（３８４ＥＩ），Ｉ＝（ｂｈ３）／１２
ここで、δ：撓み、ｌ：長さ（ここでは支持点のスパン）、Ｅ：ヤング率、Ｉ：断面二次モーメント、ｂ：幅（支持点を結ぶ方向と直交する方向の幅）、ｈ：板厚
【００１５】
したがって、棚板の耐荷重を向上させるには、材質（ヤング率）や板厚を上げるよりも、支持点のスパンｌを短くする方が有利であることがわかる。
【００１６】
そこで、本発明は、上記棚板の耐荷重の知見に基づき、棚ユニットにおける外箱体の天板に上方から荷重がかかる場合に該天板の耐荷重性を向上させることができ、設置時や屋内での移動時の取り扱い性を向上させることができると共に、引越し等、書籍を収納した使用状態から輸送を行う際の利便性を高めることができ、更に、収納効率を向上させることができ、しかも、書籍等の収納量が少ない場合であっても、ブックエンドを別途用いることなく該収納物を立てて収納することが可能な本棚を提供しようとするものである。
【課題を解決するための手段】
【００１７】
本発明は、上記課題を解決するために、請求項１に対応して、箱形として前面側のみを開口部とした外箱体の内側に、該外箱体の左右方向の内法寸法よりも狭い左右幅寸法と、上記外箱体の上下方向の内法寸法と同一の高さ寸法と、上記外箱体の前後方向の内法寸法に対応する奥行き寸法を有する箱形とし且つ前面側を開口部とした内箱体を挿入配置してなる積み重ね可能な棚ユニットを備えてなる構成を有する本棚とする。
【００１８】
又、上記構成において、棚ユニットにおける外箱体の開口部の間口寸法を、同じ棚ユニットに備える内箱体の奥行き寸法の整数倍の寸法、又は、該内箱体の奥行き寸法の整数倍と該内箱体の左右幅寸法の整数倍との和の寸法となるようにした構成とする。
【発明の効果】
【００１９】
本発明の本棚によれば、以下のような優れた効果を発揮する。 
（１）箱形として前面側のみを開口部とした外箱体の内側に、該外箱体の左右方向の内法寸法よりも狭い左右幅寸法と、上記外箱体の上下方向の内法寸法と同一の高さ寸法と、上記外箱体の前後方向の内法寸法に対応する奥行き寸法を有する箱形とし且つ前面側を開口部とした内箱体を挿入配置してなる積み重ね可能な棚ユニットを備えてなる構成としてあるので、棚ユニットにおける外箱体の天板を内箱体で支持させることができて、該外箱体の天板の左右方向の支持点のスパンを短くすることができる。これにより棚ユニットを積み重ねて使用するときに、下側の棚ユニットにおける外箱体の天板と上側の棚ユニットにおける外箱体の底板に、各棚ユニットにおける外箱体内や内箱体内に収納してある書籍等の収納物の荷重が作用する場合にも、各棚ユニットにおける外箱体の天板、底板の耐荷重性を向上させることができる。したがって、このように、棚ユニットにおける外箱体の天板、底板を書籍等の収納物の重量に耐え得る耐荷重性能を有する棚板として機能させることが可能としてあっても、該棚ユニットの外箱体、及び、内箱体を、薄肉の板材を材料として製作することができる。よって、上記棚ユニットの外箱体及び内箱体の軽量化を図ることができる。更に、上記構成において、内箱体の背面板に上下端部を残して開口部を設けるようにすることにより、内箱体のより軽量化を図ることができる。 
（２）又、上記外箱体と内箱体については、従来の棚板のように内部がデッドスペースとなる太鼓張り構造とする必要がなくなるため、製造を容易なものとして製造コストを引き下げる効果が期待できると共に、棚ユニットを積み重ねて形成する本棚の外形に対する収納効率を高めることができる。 
（３）更に、上記棚ユニットを上下方向に積み重ねて設置する場合は、上記外箱体を所望する個所に配置した後、該外箱体の内側に内箱体を挿入配置することで本棚における一段毎の棚を形成することができる。又、部屋の模様替え等のために本棚の移動が必要とされる場合は、上記棚ユニットにおける外箱体より内箱体を取り出して、外箱体と内箱体を個別に移動させることができるため、個々の移動対象の重量を軽減することができ、移動先で再び外箱体の内部に内箱体を挿入配置することで、一段ずつの棚を容易に再形成することができる。このため、従来の一体に組み立てられた本棚を設置する場合に比して、設置時の取り扱い性を向上させることができる。しかも、上記内箱体は前面側のみを開口部としてあるため、該内箱体を、収納物を収納したままの状態で外箱体から取り出して移動させることが可能になる。 
（４）棚ユニットにおける外箱体の開口部の間口寸法を、同じ棚ユニットに備える内箱体の奥行き寸法の整数倍の寸法、又は、該内箱体の奥行き寸法の整数倍と該内箱体の左右幅寸法の整数倍との和の寸法となるようにした構成とすることにより、引越し等で使用中の棚ユニットについての輸送を行う際に、収納物を収納した状態のままの内箱体を、すべて横向き姿勢、又は、横向き姿勢と後向き姿勢のものを組み合わせて外箱体の開口部に挿入配置することによって該外箱体の開口部を閉塞させることができる。このため、該棚ユニットの収納物が外箱体の開口部を通して外部へ落下する虞をなくすことができることから、上記外箱体の開口部を内箱体により閉塞させた状態で、養生テープ等を用いて上記内箱体を外箱体の開口部に固定してから、エアキャップ等を用いた簡易包装を行うことにより、収納物を段ボール箱等へ移し替えて梱包する必要なしに、上記棚ユニットを、収納物を収納した状態のままで輸送することが可能になる。よって、引越し等における使用中の本棚の輸送時の利便性を高めることができる。
【図面の簡単な説明】
【００２０】
【図１】本発明の本棚の実施の一形態として、１つの外箱体と１つの内箱体からなる形式の棚ユニットを示すもので、（イ）は概略正面図、（ロ）は概略切断平面図、（ハ）は輸送時の状態を示す概略切断平面図である。
【図２】本発明の実施の他の形態として、１つの外箱体と２つの内箱体からなる形式の棚ユニットを示すもので、（イ）と（ロ）は外箱体の間口寸法が異なる場合の例をそれぞれ示す概略切断平面図である。
【図３】本発明の実施の更に他の形態を示すもので、（イ）は概略正面図、（ロ）は概略切断側面図である。
【図４】図３の本棚における各棚ユニットの外箱体同士、及び、内箱体同士をそれぞれスタックした状態の概要を示す斜視図である。
【発明を実施するための形態】
【００２１】
以下、本発明を実施するための形態を図面を参照して説明する。
【００２２】
図１（イ）（ロ）（ハ）は本発明の本棚の実施の一形態を示すものである。
【００２３】
すなわち、本発明の本棚は、複数段に積み重ね可能な棚ユニット１を備える。更に、上記棚ユニット１は、左右幅方向、上下方向（高さ方向）、前後方向（奥行き方向）に或る寸法Ｗｏｕｔ，Ｈｏｕｔ，Ｄｏｕｔを備えた直方体形状として前面側を開口部３とした外箱体２と、上記外箱体２の開口部３の間口寸法（左右方向の内法寸法）Ｗｉｎよりも狭い左右幅寸法（左右方向の外法寸法）ｗｏｕｔ、上記外箱体２の上下方向の内法寸法Ｈｉｎと同一の高さ寸法（上下方向の外法寸法）ｈｏｕｔ、及び、上記外箱体２の前後方向の内法寸法Ｄｉｎと同一か又はやや小さい奥行き寸法（前後方向の外法寸法）ｄｏｕｔを備えた直方体形状として前面側を開口部５としてなる内箱体４とを具備して、図１（イ）（ロ）に示すように、上記外箱体２の内側に、その前面側開口部３を通して、上記内箱体４を挿入配置してなる構成とする。
【００２４】
詳述すると、本実施の形態では、棚ユニット１を、１つの外箱体２と、１つの内箱体４とからなる構成としてある。
【００２５】
上記外箱体２は、所定の板厚寸法、たとえば、４ｍｍの板厚寸法の板材により製作した天板６、底板７、２枚の側板８及び背面板９を、所定の直方体形状の上面、下面、両側面及び背面の部分にそれぞれ対応させて配置した状態で、隣接する部材の間で直角に突き合わせて配置される端縁部同士を、釘や木ねじや接着剤等の図示しない接合手段により接合することにより、前面側のみを開口部３とする一体の箱型に組み立てた構成としてある。
【００２６】
上記内箱体４は、上記外箱体２の各構成部材を製作した板材と同様の板材により製作した天板１０、底板１１、２枚の側板１２及び背面板１３を、所定の直方体形状の上面、下面、両側面及び背面の部分にそれぞれ対応させて配置した状態で、隣接する部材の間で直角に突き合わせて配置される端縁部同士を、釘や木ねじや接着剤等の図示しない接合手段により接合することにより、前面側のみを開口部３とする一体の箱型に組み立てた構成としてある。
【００２７】
この際、たとえば、本発明の本棚をＡ４サイズの書籍等を立てて収納可能なサイズとする場合は、上記内箱体４における上下方向の内法寸法ｈｉｎと、前後方向の内法寸法ｄｉｎを、Ａ４サイズの縦寸法である２９７ｍｍと、横寸法である２１０ｍｍよりもそれぞれやや大きく設定するようにすればよい。具体的には、たとえば、ｈｉｎ＝３０３ｍｍ、ｄｉｎ＝２２６ｍｍと設定するようにすればよい。
【００２８】
上記のように寸法を設定した内箱体４は、高さ寸法（上下方向の外法寸法）ｈｏｕｔが、上記上下方向の内法寸法ｈｉｎに内箱体４の天板１０と底板１１の２枚分の板厚寸法を足した寸法である３１１ｍｍ（＝３０３＋４×２［ｍｍ］）となり、又、奥行き寸法（前後方向の外法寸法）ｄｏｕｔが、上記前後方向の内法寸法ｄｉｎに内箱体４の背面板１３の板厚寸法を足した寸法である２３０ｍｍ（＝２２６＋４［ｍｍ］）となる。
【００２９】
したがって、上記内箱体４を収容する外箱体２は、その上下方向の内法寸法Ｈｉｎを、上記内箱体４の高さ寸法ｈｏｕｔと同一の３１１ｍｍに設定するようにすればよい。又、該外箱体２の前後方向の内法寸法Ｄｉｎは、上記内箱体４の前後方向の外法寸法ｄｏｕｔ（＝２３０［ｍｍ］）以上となる寸法として、たとえば、２４０ｍｍ（≧２３０［ｍｍ］）に設定するようにすればよい。
【００３０】
これにより、上記外箱体２の内側における左右幅方向の任意の位置に、上記内箱体４を、該内箱体４の上下の両端面となる天板１０の上面と底板１１の下面を、上記外箱体２の天板６の下面と底板７の上面にそれぞれ接触させた状態で挿入配置することができるようにしてある。更に、上記のように外箱体２の内側に上記内箱体４を挿入配置した状態とすることで、外箱体２の左右の各側板８と、その内側に配置してある内箱体４の左右の各側板１２との間、及び、内箱体４の内側に、Ａ４サイズまでの書籍等の収納物（図示せず）を立てて収納したり、かかるＡ４サイズまでの書籍等を綴じたり、収納するファイル、たとえば、高さ寸法が３０６ｍｍ、幅寸法（奥行き寸法）が２３８ｍｍの２穴ファイルや、高さ寸法が３１０ｍｍ、幅寸法（奥行き寸法）が２２０ｍｍのクリアファイル（図示せず）を、上記外箱体２の左右の各側板８とその内側に配置してある内箱体４の左右の各側板１２との間に立てて収納可能な収納領域１４をそれぞれ形成できるようにしてある。
【００３１】
なお、たとえ、上記内箱体４を外箱体２の中で、該内箱体４の左右方向の一方の側板１２を上記外箱体２における対応する側の側板８に寄せて配置する場合であっても、内箱体４の他方の側板１２を上記外箱体２の左右幅方向のほぼ中央に配置させることができるようにして、外箱体２の天板６における上記内箱体４に接触していない部分の左右方向のスパンが、最大でも該天板６の左右方向寸法の１／２の寸法を大幅に超えないようにするという観点、及び、後述するように書籍等の収納物の量が様々に変化しても上記内箱体４をブックエンドとして機能させて該書籍等の収納物を立てて収納できるようにするという観点から考えると、上記内箱体４の左右幅寸法（左右方向の外法寸法）ｗｏｕｔは、上記外箱体２の開口部３の間口寸法Ｗｉｎの約１／２（ｗｏｕｔ＝Ｗｉｎ×１／２±十数ミリ）の寸法に設定することが望ましい。よって、上記内箱体４の左右幅方向の内法寸法ｗｉｎは、上記のように設定される該内箱体４の左右幅寸法ｗｏｕｔより左右の側板１２の２枚分の板厚寸法を引いた寸法となる。
【００３２】
更に、本実施の形態における棚ユニット１では、前記したように１つの外箱体２と１つの内箱体４とからなる構成としてある点に鑑みて、上記外箱体２における開口部３の間口寸法（左右幅方向の内法寸法）Ｗｉｎを、上記内箱体４の奥行き寸法ｄｏｕｔと同一か又は数ミリメートル大きい寸法（Ｗｉｎ≒ｄｏｕｔ）に設定してある。これにより、図１（ハ）に示すように、上記外箱体２の開口部３に対し、上記内箱体４を水平面内で９０度横に向けた姿勢で挿入配置することができるようにしてあり、このように、上記外箱体２の開口部３に対して９０度横向き姿勢で挿入した内箱体４によって、該外箱体２の開口部３を塞ぐことができるようにしてある。
【００３３】
なお、上記のように内箱体４を９０度横向き姿勢で外箱体２の開口部３に挿入した状態から、該内箱体４を取り出す作業を行うときの作業性を考慮して、上記内箱体４の各側板１２の所要個所、たとえば、中央部には、指を挿入して該内箱体４の側板１２を把持（保持）できるようにするための図示しない開口部が設けてある。又、内箱体３の背面板１３は、図１（イ）に二点鎖線で示す如く、上端部１３ａと下端部１３ｂのみを所要寸法分残して、中央部側をくり抜いた背抜き形状とするようにし、上下両端部の背面板部分１３ａ，１３ｂをストッパとして機能させるようにすることもできる。
【００３４】
上記外箱体２や内箱体４の各構成部材を製作するための板材としては、上記棚ユニット１のサイズと、必要とされる強度等に応じて、単板、合板、集成材、ＯＳＢ、ファイバーボード、ＭＤＦ、板材として段ボールや板材に成形した樹脂成形品等を適宜選択して用いるようにすればよい。
【００３５】
以上の構成としてある本発明の本棚を使用する場合は、外箱体２の内側に内箱体４を挿入配置した状態としてある棚ユニット１を、１段としても使用できるが、上下に複数段積み重ねて配置して使用する。これにより、各段の棚ユニット１における外箱体２の側板８と、その内側に位置する内箱体４の側板１２との間、及び、内箱体４の内側を、Ａ４サイズまでの書籍等の収納物を立てて収納可能な収納領域１４とした複数段の棚が容易に構築されるようになる。
【００３６】
この際、個々の棚ユニット１では、上記外箱体２の内側に挿入配置した内箱体４が、該外箱体２の天板６の下面と底板７の上面の双方に接しているため、上記外箱体２の天板６に上方より作用する下向きの荷重は、該外箱体２の各側板８と背面板１３に加えて、上記内箱体４の各側板１２と背面板１３を介して上記外箱体２の底板７に伝えられるようになる。
【００３７】
したがって、上記外箱体２の天板６は、該外箱体２の各側板８と、上記内箱体４の各側板１２によって下方から支持されるようになるため、該外箱体２の天板６における荷重の支持点の左右方向のスパンが短くなる。
【００３８】
本発明の本棚では、上記したように、棚ユニット１の外箱体２における天板６について、その左右方向における荷重の支持点のスパンを短くすることができると共に、背面板９で天板６の一部を支持するようにしてあるため、該天板６が薄肉の板材で形成してあっても、十分な耐荷重性能を得ることができるようになる。
【００３９】
よって、上記棚ユニット１を複数段積み重ねた構成とする場合に、収納物を直接、又は、内箱体４を介して載置するための棚板として機能する各棚ユニット１の底板７について、最下段の棚ユニット１では、収納物より外箱体２の底板７に作用する荷重を、該最下段の棚ユニット１を設置した個所の床部に伝えて支持させることができる。又、その他の棚ユニット１では、それぞれの外箱体２の底板７に対して収納物より作用する荷重は、該底板７の下面側に接している下方に隣接する別の棚ユニット１における上記のように耐荷重性能が高められた天板６に伝えられて支持されるようになる。
【００４０】
更に、上記各棚ユニット１における内箱体４は、外箱体２の内側に単に挿入配置したものであるため、外箱体２の内側で、内箱体４の左右方向位置を変更することが可能である。又、内箱体４は、その上下両端面が外箱体２の天板６の下面と底板７の上面に対して面で接触しているため、該面接触部分に摩擦力が働くことによって該内箱体４が外箱体２の内側で左右方向へ簡単にスライドすることはない。
【００４１】
よって、書籍等、立てて収納することが所望される収納物の量が、棚ユニット１の外箱体２の開口部３の間口寸法（左右幅方向の内法寸法）Ｗｉｎの１／２よりも少ない場合は、上記内箱体４をブックエンドとして機能させて、該内箱体４の左右いずれか一方の側板１２の外面と、外箱体２の対応する側の側板８の内面との間に上記収納物を挟むことで、該収納物を立てた状態で保持することができるようになる。
【００４２】
又、収納物の量が、上記外箱体２の開口部３の間口寸法（左右幅方向の内法寸法）Ｗｉｎのほぼ１／２である場合は、該収納物を上記内箱体４の内側に立てた状態で収納することができるようになる。
【００４３】
更に、収納物の量が、上記外箱体２の開口部３の間口寸法（左右幅方向の内法寸法）の１／２よりも多い場合は、上記内箱体４に収納可能な分だけ該内箱体４の内側に立てて収納し、残りの収納物は、前述したと同様に内箱体４をブックエンドとして機能させて、内箱体４の左右いずれか一方の側板１２の外面と、外箱体２の対応する側の側板８の内面との間に挟むようにすることで、すべての収納物を立てた状態で保持することができるようになる。よって、上記各棚ユニット１では、収納物の量が様々に変化しても、該収納物を立てた状態で収納することが可能になり、ブックエンドを別途用意する必要性をなくすことができる。
【００４４】
このように、本発明の本棚によれば、棚ユニット１を、底板７を書籍等の収納物の重量に耐え得る十分な耐荷重性能を有する棚板として機能させることが可能な棚ユニット１としてあっても、該棚ユニット１の外箱体２の各構成部材、及び、内箱体４の各構成部材を、薄肉の板材を材料として製作することができる。よって、上記棚ユニット１の外箱体２及び内箱体４の軽量化を図ることができる。
【００４５】
上記本発明における外箱体２と内箱体４については、上記したように薄肉の板材を使用することができることから、従来の棚板のように内部がデッドスペースとなる太鼓張り構造（中空構造）とする必要がなくなる。そのため、製造が容易であって、製造コストを引き下げる効果が期待できると共に、棚ユニット１を複数積み重ねて形成する本棚の外形に対する収納効率を高めることができる。
【００４６】
更に、上記棚ユニット１を上下方向に積み重ねて設置する場合は、上記外箱体２を所望する本棚設置個所に配置した後、該外箱体２の内側に、内箱体４を左右方向の位置を適宜設定して挿入配置することで一段毎の棚を形成することができる。又、部屋の模様替え等のために本棚の移動が必要とされる場合は、上記棚ユニット１における外箱体２の内側から内箱体４を取り出して個別に移動させることができるため、個々の移動対象の重量を軽減することができ、移動先で再び外箱体２の内部に内箱体４を挿入配置することで、一段ずつの棚を容易に再形成することができる。このため、従来の一体に組み立てられた本棚を所望する設置個所へ設置する場合に比して、設置時の取り扱い性を向上させることができる。しかも、上記のように内箱体４を外箱体２から取り出して移動させるときには、内箱体４が前面側のみを開口部５とした箱型としてあるため、収納物を収納したままの状態で該内箱体４の取り出しや移動を行うことが可能である。
【００４７】
又、引越し等で、使用中の棚ユニット１についての輸送が必要になった場合は、積み重ねてあった棚ユニット１を上段側の棚ユニット１より順に作業対象とするか、又は、予め積み重ねてあった棚ユニット１をすべて床に降ろすようにして、棚ユニット１における外箱体２の天板６に上方からの荷重が作用しないようにした状態で、収納物を収納した状態のままの内箱体４を、外箱体２の前面側の開口部３より外部へ一旦取り出し、次に、外箱体２の側板８の内面と、内箱体４の側板１２の外面との間の収納領域１４に収納されていた書類や本等の収納物を、平面視時計回り方向又は反時計回り方向のいずれか一方へ９０度向きを変えた横向きにして上記外箱体２の奥側へ移動させ、次いで、外部に取り出してある上記内箱体４を、平面視時計回り方向又は反時計回り方向のいずれか一方、たとえば、図１（ハ）に示すように平面視時計回り方向へ９０度横を向くように水平面内で回転させてから、該横向き姿勢とさせた内箱体４を、上記外箱体２の開口部３へ再び挿入して配置すると、該９０度横向きの内箱体４の側板１２によって、上記外箱体２の開口部３が閉塞させられるようになる。又、内箱体４の開口部５についても、該開口部５が臨む外箱体２の側板８によって閉塞させられるようになる。よって、上記棚ユニット１に収納されている収納物が、外箱体２の開口部３を通して外部へ落下する虞がなくなる。
【００４８】
したがって、上記のように外箱体２の開口部３を横向き姿勢の内箱体４により閉塞した状態で、養生テープ等で上記内箱体４を外箱体２の開口部３に固定してから、エアキャップ等を用いた簡易包装を行うことにより、収納物を段ボール箱等へ移し替えて梱包する必要なしに、上記棚ユニット１を、収納物を収納した状態のままで輸送することができる。これにより、引越し等における使用中の本棚の輸送時の利便性を高めることができる。
【００４９】
次に、図２（イ）（ロ）は本発明の実施の他の形態として、図１（イ）（ロ）（ハ）に示したと同様の構成において、棚ユニット１を、１つの外箱体２の内側に１つの内箱体４を挿入配置する構成に代えて、１つの外箱体２の内側に２つの内箱体４を挿入配置する構成を備えた棚ユニット１Ａとする場合について示すものである。
【００５０】
すなわち、本実施の形態における２つの内箱体４は、図１（イ）（ロ）（ハ）に示した内箱体４と同様の構成とし、左右幅寸法ｗｏｕｔ、高さ寸法ｈｏｕｔ、奥行き寸法ｄｏｕｔ、及び、左右方向の内法寸法ｗｉｎ、上下方向の内法寸法ｈｉｎ、前後方向の内法寸法ｄｉｎについても、図１（イ）（ロ）（ハ）に示した内箱体と同様のサイズとしてある。
【００５１】
一方、本実施の形態における外箱体２は、図１（イ）（ロ）（ハ）に示した外箱体２と同様に、天板６と底板７と２つの側板８と背面板９とからなる前面側のみを開口部３とした構成を備え、且つ該外箱体２の上下方向の内法寸法及び前後方向の内法寸法は、図１（イ）（ロ）（ハ）に示した外箱体２の上下方向の内法寸法Ｈｉｎ、及び、前後方向の内法寸法Ｄｉｎと同様のサイズとしてあり、上記開口部３の間口寸法Ｗｉｎのみを、図２（イ）に示すように、上記内箱体４の奥行き寸法（前後方向の外法寸法）ｄｏｕｔの２倍の寸法と同一か又は数ミリメートル大きい寸法（Ｗｉｎ≒２・ｄｏｕｔ）としてある。あるいは、図２（ロ）に示すように、上記外箱体２の間口寸法Ｗｉｎを、上記内箱体４の左右幅寸法（左右方向の外法寸法）ｗｏｕｔと、内箱体４の奥行き寸法ｄｏｕｔとの和の寸法と同一か又は数ミリメートル大きい寸法（Ｗｉｎ≒（ｗｏｕｔ＋ｄｏｕｔ））としてある。
【００５２】
その他の構成は図１（イ）（ロ）（ハ）に示したものと同様であり、図２（イ）（ロ）において図１（イ）（ロ）（ハ）に示したものと同一のものには同一の符号が付してある。
【００５３】
図２（イ）及び図２（ロ）のいずれの実施の形態の棚ユニット１Ａにおいても、図１（イ）（ロ）（ハ）に示した棚ユニット１と同様に、複数段積み重ねて配置することにより、各段の棚ユニット１Ａにおける外箱体２の側板８と、その内側に位置する内箱体４の側板１２との間、及び、内箱体４の内側、更には、２つの内箱体４の対面する側板１２同士の間を、Ａ４サイズまでの書籍等の収納物を立てて収納可能な収納領域１４とした複数段の棚を容易に構築することができる。
【００５４】
又、個々の棚ユニット１Ａでは、外箱体２の天板６に上方より作用する下向きの荷重を、該外箱体２の各側板８と背面板１３に加えて、上記２つの内箱体４の各側板１２と背面板１３とを介して上記外箱体２の底板７に伝えて支持させることができる。したがって、上記外箱体２の天板６は、該外箱体２における２枚の側板８と、上記２つの内箱体４の合計４枚の側板１２によって下方から支持されるようになるため、該外箱体２の天板６における荷重の支持個所の左右方向のスパンを短くすることができて、該天板６が薄肉の板材で形成してあっても、十分な耐荷重性能を得ることができる。
【００５５】
よって、図２（イ）（ロ）の実施の形態においても、棚ユニット１Ａの外箱体２及び内箱体４の軽量化を図る効果、外箱体２及び内箱体４の製造を容易にして、製造コストを引き下げる効果、棚ユニット１Ａを複数積み重ねて形成する本棚の外形に対する収納効率を高める効果、従来の一体に組み立てられた本棚を所望する設置個所へ設置する場合に比して、設置時の取り扱い性を向上させる効果、及び、内箱体４をブックエンドとして機能させることができて、棚ユニット１Ａに、様々な量の収納物をブックエンドを別途要することなく立てた状態で収納することができるという効果を得ることができる。
【００５６】
更に、引越し等で、使用中の棚ユニット１Ａの輸送が必要になる場合は、図２（イ）の実施の形態の棚ユニット１Ａでは、２つの内箱体４を共に外箱体２より一旦取り出してから、図２（イ）に二点鎖線で示すように、該２つの内箱体４を、いずれも９０度横に向けた姿勢で外箱体２の開口部３に左右に並べて挿入配置することで、該開口部３を閉塞させることができて、収納物の落下を防止することができる。
【００５７】
一方、図２（ロ）の実施の形態の棚ユニット１Ａでは、２つの内箱体４を共に外箱体２より一旦取り出してから、図２（ロ）に二点鎖線で示すように、１つの内箱体４は、水平面内で９０度横に向けた姿勢とし、もう１つの内箱体４は、水平面内で１８０度回転させて後向きとした姿勢で、外箱体２の開口部３に左右に並べて挿入配置することで、該開口部３を閉塞させることができて、収納物の落下を防止することができる。
【００５８】
なお、図２（ロ）の構成を採用する場合は、後向きの姿勢で外箱体２の開口部３に挿入配置した状態の内箱体４を外箱体２から取り出すときの作業性を考慮して、上記各内箱体４の背面板１３の所要個所、たとえば、中央部に、指を挿入して該内箱体４の背面板９を把持（保持）できるようにするための開口部（図示せず）が設けてあるものとする。
【００５９】
したがって、図２（イ）（ロ）のいずれの実施の形態においても、上記のように棚ユニット１における外箱体２の開口部３を、同じ棚ユニット１の２つの内箱体４を用いて閉塞させ、この２つの内箱体４を養生テープ等を用いて上記外箱体２の開口部３に固定してから、エアキャップ等を用いた簡易包装を行うことで、図１（イ）（ロ）（ハ）に示したものと同様に、収納物の段ボール箱等への移し替えを要することなく、上記棚ユニット１を収納物を収納した状態のままで輸送することができる。よって、引越し等で、使用中の本棚を輸送する場合の利便性を高めることができる。
【００６０】
なお、上記図２（イ）（ロ）に示す実施の形態においても、内箱体４の背面板１３を、図１（イ）に二点鎖線で示す場合と同様に上端部及び下端部のみとして中央部分を開口させた構成とするようにしてもよい。
【００６１】
次いで、図３（イ）（ロ）及び図４は本発明の実施の更に他の形態として、図２（イ）に示した実施の形態の応用例を示すものである。
【００６２】
すなわち、図２（イ）に示したと同様の１つの外箱体２の内側に２つの内箱体４を挿入配置してなる構成の棚ユニット１Ａを、たとえば、図３（イ）（ロ）に示すように３段に積み重ねて棚を形成する場合、図３（イ）に示すように、第１番目の棚ユニットとしての図３における１段目（下段）の棚ユニット１Ａ１と、第２番目の棚ユニットとしての図３における２段目（中段）の棚ユニット１Ａ２について、１段目の棚ユニット１Ａ１の外箱体２１における開口部の間口寸法Ｗｉｎ，１、及び、上下方向の内法寸法Ｈｉｎ，１よりも、２段目の棚ユニット１Ａ２の外箱体２２における左右幅寸法Ｗｏｕｔ，２、及び、高さ寸法Ｈｏｕｔ，２が共に小さくなるように設定する（Ｗｉｎ，１＞Ｗｏｕｔ，２，Ｈｉｎ，１＞Ｈｏｕｔ，２）。且つ、上記１段目の棚ユニット１Ａ１の内箱体４１の左右方向の内法寸法ｗｉｎ，１、及び、上下方向の内法寸法ｈｉｎ，１よりも、上記２段目の棚ユニット１２の内箱体４２の左右幅寸法ｗｏｕｔ，２、及び、高さ寸法ｈｏｕｔ，２が共に小さくなるように設定する（ｗｉｎ，１＞ｗｏｕｔ，２，ｈｉｎ，１＞ｈｏｕｔ，２）。これにより、上記１段目の棚ユニット１Ａ１の外箱体２１の開口部３１（図３（ロ）参照）よりも、上記２段目の棚ユニット１Ａ２の外箱体２２の前面投影サイズの方が小さくなり、又、上記１段目の棚ユニット１Ａ１の内箱体４１の開口部５１（図３（ロ）参照）よりも、上記２段目の棚ユニット１Ａ２の内箱体４２の前面投影サイズの方が小さくなるようにする。
【００６３】
更に、上記第２番目の棚ユニットとしての図３における２段目（中段）の棚ユニット１Ａ２と、第３番目の棚ユニットとしての図３における３段目（上段）の棚ユニット１Ａ３について、２段目の棚ユニット１Ａ２の外箱体２２における開口部の間口寸法Ｗｉｎ，２、及び、上下方向の内法寸法Ｈｉｎ，２（＝ｈｏｕｔ，２）よりも、３段目の棚ユニット１Ａ３の外箱体２３における左右幅寸法Ｗｏｕｔ，３、及び、高さ寸法Ｈｏｕｔ，３が共に小さくなるように設定する（Ｗｉｎ，２＞Ｗｏｕｔ，３，Ｈｉｎ，２＞Ｈｏｕｔ，３）。且つ、上記２段目の棚ユニット１Ａ２の内箱体４２の左右方向の内法寸法ｗｉｎ，２、及び、上下方向の内法寸法ｈｉｎ，２よりも、上記３段目の棚ユニット１Ａ３の内箱体４３の左右幅寸法ｗｏｕｔ，３、及び、高さ寸法ｈｏｕｔ，３が共に小さくなるように設定する（ｗｉｎ，２＞ｗｏｕｔ，３，ｈｉｎ，２＞ｈｏｕｔ，３）。これにより、上記２段目の棚ユニット１Ａ２の外箱体２２の開口部３２（図３（ロ）参照）よりも、上記３段目の棚ユニット１Ａ３の外箱体２３の前面投影サイズの方が小さくなり、又、上記２段目の棚ユニット１Ａ２の内箱体４２の開口部５２（図３（ロ）参照）よりも、上記３段目の棚ユニット１Ａ３の内箱体４３の前面投影サイズの方が小さくなるようにする。
【００６４】
更には、図３（ロ）に示すように、上記１段目の棚ユニット１Ａ１の外箱体２１の前後方向の内法寸法Ｄｉｎ，１よりも、上記２段目の棚ユニット１Ａ２の外箱体２２の奥行き寸法Ｄｏｕｔ，２が小さくなるように設定する（Ｄｉｎ，１＞Ｄｏｕｔ，２）と共に、上記２段目の棚ユニット１Ａ２の外箱体２２の前後方向の内法寸法Ｄｉｎ，２よりも、上記３段目の棚ユニット１Ａ３の外箱体２３の奥行き寸法Ｄｏｕｔ，３が小さくなるように設定する（Ｄｉｎ，２＞Ｄｏｕｔ，３）。又、上記１段目の棚ユニット１Ａ１の内箱体４１の前後方向の内法寸法ｄｉｎ，１よりも、上記２段目の棚ユニット１Ａ２の内箱体４２の奥行き寸法ｄｏｕｔ，２が小さくなるように設定する（ｄｉｎ，１＞ｄｏｕｔ，２）と共に、上記２段目の棚ユニット１Ａ２の内箱体４２の前後方向の内法寸法ｄｉｎ，２よりも、上記３段目の棚ユニット１Ａ３の内箱体４３の奥行き寸法ｄｏｕｔ，３が小さくなるように設定する（ｄｉｎ，２＞ｄｏｕｔ，３）ようにしてある。
【００６５】
なお、上記のような構成とする場合、収納物（図示せず）の収納領域１４が最も小さくなるのは、上記３段目の棚ユニット１Ａ３の内箱体４２の内側となる。よって、各段の棚ユニット１Ａ１，１Ａ２，１Ａ３に、たとえば、Ａ４サイズの書類や本の収納を望む場合は、上記３段目の棚ユニット１Ａ３における内箱体４３のサイズを、図１（イ）（ロ）（ハ）に示した棚ユニット１の内箱体４のサイズと同様に設定し、該３段目の棚ユニット１Ａ３における内箱体４３のサイズを基準として、３段目の棚ユニット１Ａ３の外箱体２３のサイズを定め、設定された該３段目の棚ユニット１Ａ３の外箱体２３と内箱体４３のサイズを基に、上記２段目の棚ユニット１Ａ２の外箱体２２と内箱体４２のサイズをそれぞれ定め、更に、設定された２段目の棚ユニット１Ａ２の外箱体２２と内箱体４２のサイズを基に、上記１段目の棚ユニット１Ａ１の外箱体２１と内箱体４１のサイズをそれぞれ定めるようにすればよい。
【００６６】
以上の構成としてある本実施の形態によれば、収納物を収納していない未使用、又は、非使用状態の各棚ユニット１Ａ１，１Ａ２，１Ａ３について、図４に示すように、上記１段目の棚ユニット１Ａ１における外箱体２１の内側に、上記２段目の棚ユニット１Ａ２の外箱体２２と、上記３段目の棚ユニット１Ａ３の外箱体２３を順にスタックさせて収容することができる。
【００６７】
又、同様に、上記１段目の棚ユニット１Ａ１における内箱体４１の内側に、上記２段目の棚ユニット１Ａ２の内箱体４２と、上記３段目の棚ユニット１Ａ３の内箱体４３を順にスタックさせて収容することができる。
【００６８】
したがって、図３（イ）（ロ）、図４に示す実施の形態によれば、上記３段の棚ユニット１Ａ１，１Ａ２，１Ａ３を積み重ねてなる本棚を形成するために用いる合計３つの外箱体２１，２２，２３及び各段２つずつ合計６つの内箱体４１，４２，４３を、上記１段目の棚ユニット１Ａ１の外箱体２１が占有するスペース（空間）に集積しておくことが可能になる。このため、上記未使用、又は、非使用状態の各棚ユニット１Ａ１，１Ａ２，１Ａ３の在庫場所の縮小化や、輸送コストの削減化を図る効果が期待できる。
【００６９】
上記図３（イ）（ロ）及び図４の実施の形態においては、棚ユニット１Ａ１，１Ａ２，１Ａ３を３段に積み重ねるものとして説明したが、２つ、あるいは、４つ以上の棚ユニット１Ａを積み重ねる形式に適用してもよい。
【００７０】
この場合、棚ユニット１Ａの数を一般化すると、１つの本棚を構成するために使用する複数の棚ユニット１Ａのそれぞれに第１番目から順番に番号ｎ（ｎは１以上の自然数）を付した状態で、第ｎ番目の棚ユニット１Ａｎと、第（ｎ＋１）番目の棚ユニット１Ａ（ｎ＋１）について、第ｎ番目の棚ユニット１Ａｎの外箱体２ｎにおける開口部の間口寸法Ｗｉｎ，ｎ、及び、上下方向の内法寸法Ｈｉｎ，ｎよりも、第（ｎ＋１）番目の棚ユニット１Ａ（ｎ＋１）の外箱体２（ｎ＋１）における左右幅寸法Ｗｏｕｔ，（ｎ＋１）、及び、高さ寸法Ｈｏｕｔ，（ｎ＋１）が共に小さくなるように設定し（Ｗｉｎ，ｎ＞Ｗｏｕｔ，（ｎ＋１），Ｈｉｎ，ｎ＞Ｈｏｕｔ，（ｎ＋１））、且つ、上記第ｎ番目の棚ユニット１Ａｎの内箱体４ｎの左右方向の内法寸法ｗｉｎ，ｎ、及び、上下方向の内法寸法ｈｉｎ，ｎよりも、上記第（ｎ＋１）番目の棚ユニット１Ａ（ｎ＋１）の内箱体４（ｎ＋１）の左右幅寸法ｗｏｕｔ，（ｎ＋１）、及び、高さ寸法ｈｏｕｔ，（ｎ＋１）が共に小さくなるように設定する（ｗｉｎ，ｎ＞ｗｏｕｔ，（ｎ＋１），ｈｉｎ，ｎ＞ｈｏｕｔ，（ｎ＋１））ようにすればよい。
【００７１】
この場合、付された番号ｎが大きい棚ユニット１Ａｎほど、第１番目の棚ユニット１Ａｎ（ｎ＝１）に比して収納領域が小さくなるが、この場合は、付された番号ｎが大きくなる棚ユニット１Ａｎを、より小さいサイズの収納物を収納するための棚とするようにしてもよい。
【００７２】
なお、本発明は上記実施の形態のみに限定されるものではなく、棚ユニットを、１つの外箱体２の内側に３つ以上の内箱体４を挿入配置する形式としてもよい。３つの内箱体４を備えた形式の棚ユニットとする場合は、外箱体２の開口部３の間口寸法Ｗｉｎが、内箱体４の奥行き寸法ｄｏｕｔと、幅寸法ｗｏｕｔとを基に、以下の３つの式のいずれかで表される寸法に設定するようにすればよい。
Ｗｉｎ＝３・ｄｏｕｔ
Ｗｉｎ＝２・ｄｏｕｔ＋ｗｏｕｔ
Ｗｉｎ＝ｄｏｕｔ＋２・ｗｏｕｔ
【００７３】
したがって、一般化すると、棚ユニットにおける外箱体２の開口部３の間口寸法Ｗｉｎを、同じ棚ユニットに備える内箱体４の奥行き寸法ｄｏｕｔの整数倍の寸法、又は、該内箱体４の奥行き寸法ｄｏｕｔの整数倍と該内箱体４の左右幅寸法ｗｏｕｔの整数倍との和の寸法となるように設定すればよい。
【００７４】
図１（イ）（ロ）（ハ）や図２（イ）（ロ）に示す実施の形態において、棚ユニット１，１Ａにおける外箱体２と内箱体４のサイズは、Ａ４以外のサイズの書籍等の収納物を収納可能な収納領域１４を形成することを目的として設定するようにしてもよい。
【００７５】
又、図３（イ）（ロ）に示す実施の形態において、１段目の棚ユニット１Ａ１の外箱体２１と内箱体４１は、Ａ４サイズ用、２段目の棚ユニット１Ａ２の外箱体２２と内箱体４２は、Ｂ４サイズ用、３段目の棚ユニット１Ａ３の外箱体２３と内箱体４３はＡ５サイズ用とするようにしてもよい。
【００７６】
更に、図３（イ）（ロ）及び図４の実施の形態において、図１（イ）（ロ）（ハ）に示したと同様の１つの外箱体２と１つの内箱体４からなる形式の棚ユニット１を採用してもよい。
【００７７】
その他本発明の要旨を逸脱しない範囲内で種々変更を加え得ることは勿論である。
【符号の説明】
【００７８】
１，１Ａ，１Ａ１〜１Ａ３  棚ユニット
２，２１〜２３  外箱体
３  開口部
４，４１〜４３  内箱体
５  開口部
Ｗｉｎ  外箱体の開口部の間口寸法（外箱体の左右方向の内法寸法）
Ｈｉｎ  外箱体の上下方向の内法寸法
Ｄｉｎ  外箱体の前後方向の内法寸法
ｗｏｕｔ  内箱体の左右幅寸法
ｈｏｕｔ  内箱体の高さ寸法
ｄｏｕｔ  内箱体の奥行き寸法
【図１】
0005126913.tif 000002
【図２】
0005126913.tif 000003
【図３】
0005126913.tif 000004
【図４】
0005126913.tif 000005